(57)【要約】【課題】回転体の内周面に設けられた螺旋溝とノズルの後端部に設けられた嵌合部とが嵌合し、回転体の回転に伴ってノズルが進退移動するものにおいて、シリンダ内に浸入した水の排水性を向上させる。【解決手段】局部洗浄装置は、前方に向かって下方に傾斜すると共に内周面に螺旋溝を有する円筒状の回転体と、回転体を回転させるモータと、回転体の外周面を覆って回転体を回転自在に支持するケースと、回転体の内部に設けられ先端部に洗浄水を噴出可能な噴出口を有すると共に後端部に螺旋溝と嵌合する嵌合部を有し回転体の回転に伴って後方の収容位置と前方の進出位置との間で回転体の軸方向に沿って進退移動が可能なノズルと、を備える。回転体の内周面には、螺旋溝を横切るように軸方向に延びる１つ以上の排水溝を有する。【選択図】図３
2019148083.tif 000002
【特許請求の範囲】
【請求項１】
人体の局部を洗浄する局部洗浄装置であって、
前方に向かって下方に傾斜すると共に内周面に螺旋溝を有する円筒状の回転体と、
前記回転体に該回転体と同軸に設けられた回転ギヤと、
前記回転ギヤを回転させるモータと、
前記回転体の外周面を覆って該回転体を回転自在に支持するケースと、
前記回転体の内部に設けられ、先端部に洗浄水を噴出可能な噴出口を有すると共に後端部に前記螺旋溝と嵌合する嵌合部を有し、前記回転体の回転に伴って後方の収容位置と前方の進出位置との間で該回転体の軸方向に沿って進退移動が可能なノズルと、
を備え、
前記回転体の内周面には、前記螺旋溝を横切るように軸方向に延びる１つ以上の排水溝を有する、
局部洗浄装置。
【請求項２】
請求項１に記載の局部洗浄装置であって、
前記排水溝は、前記回転体の周方向に間を空けて複数設けられている、
局部洗浄装置。
【請求項３】
請求項１または２に記載の局部洗浄装置であって、
前記回転体は、径方向に貫通する貫通孔を先端部に有し、
前記貫通孔は、周方向に間を空けて複数設けられている、
局部洗浄装置。
【請求項４】
請求項１ないし３いずれか１項に記載の局部洗浄装置であって、
前記ケースは、先端部の下側に、内部の水を排出するための排水部を有し、
前記排水部は、下方に突出した筒状に形成されている、
局部洗浄装置。
【請求項５】
請求項１ないし４いずれか１項に記載の局部洗浄装置であって、
前記ノズルは、先端部に向かって進退方向に延びると共に先端部手前で途切れるガイド溝を外周部に有し、
前記ケースは、前記回転体を回転自在に支持する支持面よりも先端側に、前記ガイド溝と嵌合して前記ノズルの進退移動をガイドする突起を有する、
局部洗浄装置。
【請求項６】
請求項５に記載の局部洗浄装置であって、
前記突起は、前記ケースの下側に設けられ、
前記ケースの上側に、前記ノズルを洗浄するためのノズル洗浄器が設けられている、
局部洗浄装置。
【発明の詳細な説明】
【技術分野】
【０００１】
本発明は、回転体の回転により進退が可能なノズルを有する局部洗浄装置に関する。
【背景技術】
【０００２】
従来、この種の局部洗浄装置としては、略洋杯状の弁操作体を含む弁装置本体と、弁操作体内で回動するシリンダと、洗浄水を噴出可能なノズル孔を有し回動するシリンダ内を摺動するノズル本体と、シリンダ後端の外周部に設けられた外歯の駆動ギヤと、駆動ギヤを回転させる電動機と、を備えるものが提案されている（例えば、特許文献１参照）。この局部洗浄装置では、シリンダの内壁には螺旋形凹溝（螺旋溝）が形成され、ノズル本体の外周部には螺旋形凹溝を摺動する突起が設けられており、電動機でシリンダを回転駆動することで、ノズル本体をシリンダに対して進退させることができる。
【先行技術文献】
【特許文献】
【０００３】
【特許文献１】特開２００１−２７１４０３号公報
【発明の概要】
【発明が解決しようとする課題】
【０００４】
しかしながら、上述した局部洗浄装置では、局部洗浄を行なった後、ノズルをシリンダ内に収容する際に、ノズルの表面に付着した水がシリンダ内に侵入し、シリンダ後端の開口部から漏れ出てしまう虞がある。また、シリンダ内に水が溜まると、ノズルの進退移動の抵抗となり、モータの負荷が増大する虞がある。
【０００５】
本発明の局部洗浄装置は、回転体の内周面に設けられた螺旋溝とノズルの後端部に設けられた嵌合部とが嵌合し、回転体の回転に伴ってノズルが進退移動するものにおいて、シリンダ内に浸入した水の排水性を向上させることを主目的とする。
【課題を解決するための手段】
【０００６】
本発明の局部洗浄装置は、上述の主目的を達成するために以下の手段を採った。
【０００７】
本発明の局部洗浄装置は、
人体の局部を洗浄する局部洗浄装置であって、
前方に向かって下方に傾斜すると共に内周面に螺旋溝を有する円筒状の回転体と、
前記回転体に該回転体と同軸に設けられた回転ギヤと、
前記回転ギヤを回転させるモータと、
前記回転体の外周面を覆って該回転体を回転自在に支持するケースと、
前記回転体の内部に設けられ、先端部に洗浄水を噴出可能な噴出口を有すると共に後端部に前記螺旋溝と嵌合する嵌合部を有し、前記回転体の回転に伴って後方の収容位置と前方の進出位置との間で該回転体の軸方向に沿って進退移動が可能なノズルと、
を備え、
前記回転体の内周面には、前記螺旋溝を横切るように軸方向に延びる１つ以上の排水溝を有する、
ことを要旨とする。
【０００８】
この本発明の局部洗浄装置では、回転体の内周面に設けられた螺旋溝とノズルの後端部に設けられた嵌合部とが嵌合し、回転体の回転に伴ってノズルが進退移動するものにおいて、回転体の内周面に、螺旋溝を横切るように軸方向に延びる１つ以上の排水溝を設ける。これにより、ノズルに水が付着した状態で当該ノズルが回転体の収容位置へ収容されて回転体内に水が浸入しても、浸入した水を良好に排出することができる。この結果、回転体の後端部から装置内部に水漏れしたり、回転体の螺旋溝に水が溜まりノズルの摺動抵抗が増加してモータの負荷が増大したりするのを抑制することができる。
【０００９】
こうした本発明の局部洗浄装置において、前記排水溝は、前記回転体の周方向に間を空けて複数設けられているものとしてもよい。こうすれば、回転体の回転位置に拘わらず、回転体内部の水を良好に排出することができる。
【００１０】
また、本発明の局部洗浄装置において、前記回転体は、径方向に貫通する貫通孔を先端部に有し、前記貫通孔は、周方向に間を空けて複数設けられているものとしてもよい。こうすれば、回転体の回転位置に拘わらず、排水溝を伝って前方へ流れる水を貫通孔を介して外部へ排出することができる。
【００１１】
さらに、本発明の局部洗浄装置において、前記ケースは、先端部の下側に、内部の水を排出するための排水部を有し、前記排水部は、下方に突出した筒状に形成されているものとしてもよい。こうすれば、ケースから排出される水がケース外面に伝わるのを抑制し、ケースの清潔性を保つことができる。
【００１２】
また、本発明の局部洗浄装置において、前記ノズルは、先端部に向かって進退方向に延びると共に先端部手前で途切れるガイド溝を外周部に有し、前記ケースは、前記回転体を回転自在に支持する支持面よりも先端側に、前記ガイド溝と嵌合して前記ノズルの進退移動をガイドする突起を有するものとしてもよい。こうすれば、簡易な構成によりノズルの回り止めを行なうことができる。このため、ノズルを円筒状に形成することも可能となり、汚れを付着しにくくすることができる。この態様の本発明の局部洗浄装置において、前記突起は、前記ケースの下側に設けられ、前記ケースの上側に、前記ノズルを洗浄するためのノズル洗浄器が設けられているものとしてもよい。こうすれば、突起をケースの下側に設けることで、ケースの上側に空きスペースをつくることができ、ノズル洗浄器を配置しつつ装置全体をコンパクトにすることができる。
【図面の簡単な説明】
【００１３】
【図１】本実施形態の局部洗浄装置を含む衛生洗浄便座装置１０が取り付けられた便器１の外観斜視図である。
【図２】局部洗浄装置に含まれるノズルユニット２０の外観斜視図である。
【図３】ノズルユニット２０の分解斜視図である。
【図４】ノズル３０の外観斜視図である。
【図５】ノズル３０の内部を示す斜視図である。
【図６】シリンダ４０の外観斜視図である。
【図７】シリンダ４０の一部を構成する半円筒部材４１の外観斜視図および内周面側の平面図である。
【図８】ノズルユニット２０の動作の様子を示す説明図である。
【図９】変形例のノズル３０Ｂの外観斜視図である。
【図１０】変形例のノズルユニット１２０の外観斜視図である。
【図１１】変形例のノズル１３０の外観斜視図である。
【図１２】ノズル１３０のノズル本体１３１とノズルカバー１３２とを分離した状態の外観斜視図である。
【図１３】ノズルユニット１２０の下面図およびＡ−Ａ断面図である。
【図１４】下面側の半円筒部材１５２の外観斜視図である。
【図１５】半円筒部材１５２の前面図，上面図，側面図，下面図および後面図である。
【図１６】ノズルユニット１２０の収容時の断面図である。
【図１７】ノズルユニット１２０の進出時の断面図である。
【発明を実施するための形態】
【００１４】
本発明を実施するための形態について図面を参照しながら説明する。
【００１５】
図１は本実施形態の局部洗浄装置を含む衛生洗浄便座装置１０が取り付けられた便器１の外観斜視図であり、図２は局部洗浄装置に含まれるノズルユニット２０の外観斜視図であり、図３はノズルユニット２０の分解斜視図である。便器１は、洋式便器であり、便器１の上面に衛生洗浄便座装置１０が設置されている。衛生洗浄便座装置１０は、図１に示すように、便器１の後方に設置される便座装置本体１２と、便座装置本体１２に回動自在に支持された便座１４と、便座装置本体１２に回動自在に支持された便蓋１６と、使用者により操作される操作パネル１８と、を備える。
【００１６】
便座装置本体１２は、給水管（水道配管）に接続された洗浄水流路、止水弁、熱交換ユニット、洗浄の強さを調整する脈動ポンプ、洗浄水を噴出するノズルユニット２０、切替バルブなどを含む局部洗浄装置を備えており、これらは樹脂製のハウジング内に収容されている。熱交換ユニットは、水タンクやヒータ、温度センサが設けられ、給水管からの水をヒータによって温水にする。
【００１７】
また、便座装置本体１２は、衛生洗浄便座装置１０を制御する図示しない制御装置を備える。制御装置は、操作パネル１８や着座センサ１３（図１参照）、水タンクの温度センサなどからの信号に基づいて、水タンク内のヒータや脈動ポンプ、ノズルユニット２０、切替バルブを制御する。操作パネル１８には、図示しないが、おしり洗浄を指示するおしり用洗浄スイッチやビデ洗浄を指示するビデ用洗浄スイッチ、洗浄の強さを調整するための洗浄強さ調整スイッチ、洗浄位置を前後に調整するための洗浄位置調整スイッチ（前スイッチ，後スイッチ）、洗浄の停止を指示する停止スイッチなどが設けられている。
【００１８】
ノズルユニット２０は、前方に向けて下方に傾斜したノズル３０，シリンダ４０およびケース５０等を備える。また、ノズルユニット２０は、ノズル３０を洗浄するためのノズル洗浄器６０も備える。
【００１９】
ノズル３０は、収容位置（図２（ａ）参照）と洗浄位置（図２（ｂ）参照）との間で進退移動すると共に洗浄位置において人体の局部に洗浄水を噴出可能に構成される。図４は、ノズル３０の外観斜視図であり、図５は、ノズル３０内部の斜視図である。ノズル３０は、後端が開口した略長円形の筒状に形成されたノズル本体３１と、ノズル本体３１の先端部に形成された２つのノズル孔３１ａ，３１ｂと、を有する。本実施形態では、ノズル孔３１ａは、おしり洗浄用のノズル孔として構成され、ノズル孔３１ｂは、ビデ洗浄用のノズル孔として構成される。ノズル本体３１の内部には、図５に示すように、２つの洗浄水流路３８ａ，３８ｂが設けられており、洗浄水流路３８ａの出口はノズル孔３１ａと連通され、洗浄水流路３８ｂの出口はノズル孔３１ｂと連通されている。洗浄水流路３８ａ，３８ｂの入口には、それぞれホース２１，２２の一端がノズル本体３１の後端の開口から挿入されて接続され、ホース２１，２２の他端には、切替バルブが接続される。また、ノズル本体３１の後端には、図４に示すように、後述する螺旋溝４４ａに沿うように、軸方向および周方向に対して斜めに延びる複数（例えば、２つ）のリブ３５が形成されている。
【００２０】
シリンダ４０は、前端と後端とが開口した円筒状の回転体であり、ノズル３０を包囲するようにノズル３０の外径よりも若干大きい内径を有する。図６はシリンダ４０の外観斜視図であり、図７はシリンダ４０の一部を構成する半円筒部材４１の外観斜視図および内周面側の平面図である。シリンダ４０は、２つの半円筒部材４１，４２の周方向の端面同士が突き合わされて形成される。半円筒部材４１，４２の外周面には、図３および図６に示すように、半円筒部材４１，４２の周方向の端面同士が突き合わされた状態で環状をなすようにそれぞれ半円状に形成された外周リブ４３が形成されている。また、半円筒部材４１，４２の内周面には、図６および図７に示すように、それぞれシリンダ４０の軸方向に対して傾斜して延びる複数の内周リブ４４が形成されている。複数の内周リブ４４は、半円筒部材４１，４２の周方向の端面同士が突き合わされた状態で、隣接する内周リブ４４間の溝が螺旋状につながる螺旋溝４４ａを形成する。また、複数の内周リブ４４は、図７に示すように、周方向に分割されており、周方向に隣接する内周リブ４４間の溝により排水溝４４ｂを形成する。排水溝４４ｂは、螺旋溝４４ａを横切るようにシリンダ４０の軸方向に延びており、シリンダ４０内に浸入した水を当該シリンダ４０の傾斜により溝に沿って排出する。排水溝４４ｂは、本実施形態では、図７（ｂ）に示すように、半円筒部材４１，４２のそれぞれに３本ずつ、合計６本形成されている。
【００２１】
シリンダ４０の先端部には、径方向に貫通する貫通孔４８が形成されている。貫通孔４８は、排水溝４４ｂに沿って前方に流れてきた水を外部へ排出するためのものであり、シリンダ４０の回転位置に拘わらず水を排出できるように周方向に等角度間隔で複数（例えば、４つ）設けられている。
【００２２】
シリンダ４０（半円筒部材４１）の後端部の外周面には、図６および図７に示すように、シリンダ４０と同軸に回転する外歯の回転ギヤ４５が設けられている。本実施形態では、回転ギヤ４５は、ケース５０の外径からはみ出さないよう、ケース５０の外径よりも小さな外径を有するように形成されている（図２参照）。回転ギヤ４５はモータ２４の回転軸に取り付けられた駆動ギヤ２５と噛合されており、シリンダ４０は、モータ２４により回転ギヤ４５を回転駆動することで回転ギヤ４５と一体に回転する。シリンダ４０の内周面に形成される螺旋溝４４ａには、ノズル３０の後端部の外周面に設けられたリブ３５が嵌合し、ノズル３０は、シリンダ４０が回転することによりリブ３５が螺旋溝４４ａに沿って相対的に移動しながら収容位置と進出位置との間で前後に進退する。
【００２３】
また、半円筒部材４１，４２は、本実施形態では、外周面を形成する凹型と内周面を形成する凸型との間の空間に樹脂材料を射出注入し、樹脂材料を冷却固化させる射出成形によって形成され、半円筒部材４１，４２には回転ギヤ４５や外周リブ４３、内周リブ４４が一体に形成されている。また、内周リブ４４は、図７に示すように、半円筒部材４１，４２の内周面の周方向における両端部には形成されておらず、射出成形の際の型抜き（凸型の型抜き）をスムーズに行なうことができる。
【００２４】
ケース５０は、前端がノズル３０の外形に沿った略長円形に開口されると共に後端が円形に開口された円筒部材であり、シリンダ４０を包囲してシリンダ４０を回転自在に支持するようにシリンダ４０の外径よりも若干大きな内径を有する。ケース５０は、図３に示すように、２つの半円筒部材５１，５２の周方向の端面同士が突き合わされて形成される。ケース５０の内周面には２つの半円筒部材５１，５２の周方向の端面同士が突き合わされた状態で環状をなすように半円状の内周溝５３が形成されており、内周溝５３には、シリンダ４０の外周リブ４３が嵌合される。本実施形態では、内周溝５３は外周リブ４３の高さよりも浅い深さを有しており、シリンダ５０は、少ない摩擦抵抗で回転自在にケース５０に支持される。また、ケース５０の後端部の外周面には、径方向に延びる固定板５２ａが一体的に設けられ、固定板５２ａには、モータ２４のハウジングが固定されている。
【００２５】
ケース５０の先端部の外周面には、下方に貫通する排水孔５５が設けられている。排水孔５５は、ケース５０の外周面から下方に向かって筒状に突出しており、ケース５０の傾斜によりケース５０内の先端側に溜まった水を外部（便器１の便鉢内）へ排出する。排水孔５５は、筒状に突出しているから、排水孔５５から排水される水がケース５０の外周面に伝わるのを抑制し、ケース５０の清潔性を保つことができる。
【００２６】
ノズル洗浄器６０は、ケース５０の先端部の開口縁に取り付けられ、ノズル３０の外周面に向かって洗浄水を噴出する噴出孔を有する。ノズル洗浄器６０には、図２に示すように、ホース２３の一端が接続され、ホース２３の他端には、切替バルブが接続される。
【００２７】
切替バルブは、脈動ポンプよりも下流の洗浄水流路の洗浄水の供給先を複数のノズル孔３１ａ，３１ｂとノズル洗浄器６０の噴出孔のいずれから噴出させるかを切り替えるものであり、例えば、モータにより駆動されるロータリバルブとして構成される。
【００２８】
次に、こうして構成された実施形態の衛生洗浄便座装置１０（局部洗浄装置のノズルユニット２０）の動作について説明する。図８は、ノズルユニット２０の動作の様子を示す説明図である。衛生洗浄便座装置１０の制御装置は、着座センサ１３により使用者が便座１４に着座していると判定し、かつ、操作パネル１８のおしり用洗浄スイッチが押下されておしり洗浄の開始が指示されたと判定すると、モータ２４により駆動ギヤ２５と噛合する回転ギヤ４５を回転させて、シリンダ４０を回転させる。シリンダ４０が回転すると、ノズル３０に設けられた複数のリブ３５がシリンダ４０の内周面に形成された螺旋溝４４ａに沿って相対的に移動し、ノズル３０はおしり洗浄用の洗浄位置に向かって進出する。ノズル３０が洗浄位置に到達すると、制御装置は、ノズル３０のノズル孔３２ａに脈動ポンプからの洗浄水がホース２１を介して供給されるよう切替バルブ（モータ）を制御する。これにより、ノズル孔３２ａから人体の肛門部に向かって洗浄水が噴出され、おしり洗浄が開始される。制御装置は、操作パネル１８の停止スイッチが押下されて、おしり洗浄の停止が指示されたと判定すると、ノズル３０への給水を停止する。そして、モータ２４により回転ギヤ４５を逆回転させて、ノズル３０を収容位置に向かって後退させ、シリンダ４０内に収容させる。制御装置は、ノズル３０が洗浄位置から収容位置へ向かう途中または収容位置に到達したときに、ノズル洗浄器６０からノズル３０に向かって洗浄水が噴出されるよう切替バルブ（モータ）を制御し、ノズル３０を洗浄する。
【００２９】
また、制御装置は、着座センサ１３により使用者が便座１４に着座していると判定し、かつ、操作パネル１８のビデ用洗浄スイッチが押下されてビデ洗浄の開始が指示されたと判定すると、モータ２４によりシリンダ４０を回転させ、ノズル３０をビデ洗浄用の洗浄位置に向かって進出させる。ノズル３０が洗浄位置に到達すると、制御装置は、ノズル３０のノズル孔３２ｂに脈動ポンプからの洗浄水がホース２２を介して供給されるよう切替バルブ（モータ）を制御する。これにより、ノズル孔３２ｂから人体のビデ部に向かって洗浄水が噴出され、ビデ洗浄が開始される。制御装置は、操作パネル１８の停止スイッチが押下されてビデ洗浄の停止が指示されたと判定すると、ノズル３０への給水を停止する。そして、モータ２４により回転ギヤ４５を逆回転させて、ノズル３０を収容位置に向かって後退させ、シリンダ４０内に収容させる。制御装置は、ノズル３０が洗浄位置から収容位置へ向かう途中または収容位置に到達したときに、ノズル洗浄器６０からノズル３０に向かって洗浄水が噴出されるよう切替バルブ（モータ）を制御し、ノズル３０を洗浄する。
【００３０】
ノズル３０には、局部洗浄やノズル洗浄器６０によるノズル洗浄等によって外周面に水が付着し、ノズル３０がシリンダ４０内へ収容される際に、付着した水がシリンダ４０の内部に浸入する場合がある。シリンダ４０内に水が浸入すると、シリンダ４０の回転に伴って螺旋溝４４ａを摺動するリブ３５により浸入した水がシリンダ４０の後方に送り出され、シリンダ４０の後端の開口から漏れ出て、局部洗浄装置の故障の原因となる虞がある。また、シリンダ４０内に水が浸入すると、螺旋溝４４ａを摺動するリブ３５の摺動抵抗が増加し、モータ２４が負荷が増大する虞もある。本実施形態では、シリンダ４０の内周面に、螺旋溝４４ａを横切るように軸方向に延びる複数の排水溝４４ｂを形成したから、シリンダ４０内に水が浸入しても、浸入した水をシリンダ４０の傾斜により排水溝４４ｂに沿って排出することができる。したがって、本実施形態のノズルユニット２０では、シリンダ４０内への水の浸入に伴う上述した不具合は生じない。
【００３１】
以上説明した実施形態の局部洗浄装置では、シリンダ４０の内周面に設けられた螺旋溝４４ａとノズル３０の後端部に設けられたリブ３５とが嵌合し、シリンダ４０の回転に伴ってノズル３０が進退移動するものにおいて、シリンダ４０の内周面に、螺旋溝４４ａを横切るように軸方向に延びる排水溝４４ｂを設ける。これにより、局部洗浄を行なった後、ノズル３０に水が付着した状態で当該ノズル３０がシリンダ４０の収容位置へ引き込まれてシリンダ４０内に水が浸入しても、シリンダ４０内の水を良好に排出することができる。
【００３２】
また、実施形態の局部洗浄装置では、排水溝４４ｂを、シリンダ４０の周方向に間を空けて複数（４つ）設けるから、シリンダ４０の回転位置に拘わらず、シリンダ４０内の水を良好に排出することができる。
【００３３】
さらに、実施形態の局部洗浄装置では、シリンダ４０の先端部に、径方向に貫通する貫通孔４８を周方向に間を空けて複数設けるものとしたから、シリンダ４０の回転位置に拘わらず、排水溝４４ｂを伝って前方へ流れる水をいずれかの貫通孔４８を介して外部（便器１の便鉢内）へ排出することができる。
【００３４】
また、実施形態の局部洗浄装置では、ケース５０の先端部に、外周面から下方に向けて筒状に突出した排水孔５５を設けるから、ケース５０の先端部に溜まった水を良好に外部（便器１の便鉢内）へ排出することができると共に、ケース５０から排出される水がケース５０の外周面に伝わるのを抑制してケース５０の清潔性を保つことができる。
【００３５】
実施形態では、シリンダ４０の先端部に径方向に貫通する貫通孔４８を形成するものとしたが、貫通孔４８を省略するものとしてもよい。この場合、排水溝４４ｂを、シリンダ４０の先端の開口縁まで延出するものとすれば、シリンダ４０内に浸入した水を排水溝４４ｂに沿ってシリンダ４０の外部へ排出することができる。
【００３６】
実施形態では、シリンダ４０の外周面に環状の外周リブ４３を形成し、ケース５０の内周面に外周リブ４３に嵌合される環状の内周溝５３を形成するものとしたが、シリンダ４０の外周面に外周溝を形成し、ケース５０の内周面に外周溝に嵌合する内周リブを形成してもよい。リブは、必ずしも環状に形成されたものに限られず、円弧状に形成されてもよく、溝と嵌合可能であれば如何なる形状であってもよい。
【００３７】
実施形態では、シリンダ４０の螺旋溝４４ａと嵌合する嵌合部として、ノズル３０の後端部の外周面に、螺旋溝の形状に倣うようにノズル本体３１の軸方向に対して傾斜して延びるリブ３５を設けるものとしたが、これに限定されるものではなく、例えば、図９に示す変形例のノズル３０Ｂに示すように、円形の複数の突起３５Ｂを設けるものとしてもよい。また、ノズル本体３１の後端部の外周面に転動可能なボールを配設するものとしてもよい。
【００３８】
実施形態では、シリンダ４０と同軸に回転するようにシリンダ４０の後端部の外周面に外歯の回転ギヤ４５を設けるものとしたが、これに限定されるものではなく、シリンダ４０の後端面にシリンダ４０と同軸に回転するようにフェースギヤなどの環状のかさ歯車を設け、回転軸に取り付けられる駆動ギヤがかさ歯車と噛合するようにモータを配置するものとしてもよい。
【００３９】
実施形態では、シリンダ４０は、２つの半円筒部材４１，４２により形成されるものとしたが、これに限定されるものではなく、単一の円筒部材により形成されてもよいし、３つ以上の円弧状に湾曲した部材により形成されてもよい。
【００４０】
実施形態では、ケース５０の排出孔５５は、貫通孔により形成されたが、先端部の端縁から切り欠かれた切り欠き部により形成されてもよい。
【００４１】
実施形態では、ノズル３０に２つのホース２１，２２を接続し、対応するホースからの洗浄水を噴出する２つのノズル孔３１ａ，３１ｂをそれぞれおしり洗浄用とビデ洗浄用として用いるものとしたが、それぞれおしりパワフル洗浄用とおしりマイルド洗浄用として用いる等、他の異なる用途に用いるものであってもよい。また、用途ごとにノズル（ノズルユニット）を別々に備えるものとしてもよい。この場合、上述したように、シリンダ４０の後端部に設けられる回転ギヤ５４がケース５０の外径からはみ出さないよう、回転ギヤ５４の外径をケース５０の外径よりも小さくしているため、複数のノズルユニットを並べて配置する場合であっても、ユニット全体をよりコンパクトにすることができる。
【００４２】
実施形態では、ノズル３０を略長円形の筒状に形成すると共にケース５０の先端にノズル３０の外形に沿った略長円形の開口を形成するものとしたが、これに限定されるものではなく、図１０の変形例のノズルユニット１２０に示すように、ノズル３０を略円筒状に形成すると共にケース５０の先端にノズル３０の外形に沿った略円形の開口を形成してもよい。図１１はノズル１３０の外観斜視図であり、図１２はノズル１３０のノズル本体１３１とノズルカバー１３２とを分離した状態の外観斜視図であり、図１３はノズルユニット１２０の下面図およびＡ−Ａ断面図である。また、図１４は下面側の半円筒部材１５２の外観斜視図であり、図１５は半円筒部材１５２の前面図，上面図，側面図，下面図および後面図である。
【００４３】
変形例のノズルユニット１２０が備えるノズル１３０は、図１１および図１２に示すように、円筒状のノズル本体１３１と、ノズル本体１３１を覆うノズルカバー１３２と、を備える。ノズル本体１３１は樹脂製のノズルであり、先端部の上面側には、それぞれ洗浄水を噴出するノズル孔１３１ａ，１３１ｂが形成され、下面側には、先端部手前と後端部手前との間で軸方向（進退方向）に延びるガイド溝１３１ｃ（凹溝）が形成されている。ノズルカバー１３２はノズル孔１３１ａ，１３１ｂおよびガイド溝１３１ｃを除いてノズル本体１３１を覆う金属製のカバーであり、上面側のノズル孔１３１ａ，１３１ｂと重なる位置には、ノズル孔１３１ａ，１３１ｂと連通する連通孔１３２ａ，１３２ｂが形成され、下面側のガイド溝１３１ｃと重なる位置には、軸方向に延びるスリット１３２ｃが形成されている。
【００４４】
また、ノズルユニット１２０が備えるケース１５０の下面側の半円筒部材１５２には、図１４に示すように、上方に突出したガイドリブ１５４が設けられている。ガイドリブ１５４は、ケース１５０のシリンダ４０の外周面を支持する支持面１５０ａよりも先端側に形成されており、ノズル１３１のガイド溝１３１ｃに嵌合することで、ノズル１３１の進退移動をガイドする。これにより、シリンダ４０の回転に伴うノズル１３０の供回りが防止される。したがって、他の実施形態のノズルユニット１２０では、ノズル１３０を円筒状に形成することが可能となり、ノズル１３０に汚れが付着し難くし、清潔性をより向上させることができる。
【００４５】
また、ガイドリブ１５４の両脇には、図１５に示すように、実施形態の排水孔５５と同様に、下方に向かって筒状に突出した排水孔１５５が形成されており、シリンダ４０から排出されてケース１５０の先端部に溜まった水を良好に外部（便器１の便鉢内）へ排出することができると共に、ケース１５０から排出される水がケース１５０の外周面に伝わるのを抑制してケース１５０の清潔性を保つことができる。
【００４６】
ノズル１３０は、図１６に示すように、収容位置に収容されているときには、ケース１５０のガイドリブ１５４がガイド溝１３１ｃの先端が当接しており、シリンダ４０が回転すると、ガイドリブ１５４によって軸方向にガイドされながら進出する。上述したように、ノズル１３０が円筒状に形成されているが、ガイドリブ１５４がノズル１３０の下面のガイド溝１３１ｃに嵌合しているため、シリンダ４０の回転によりノズル１３０が供回りすることはない。そして、ノズル１３０は、図１７に示すように、進出端（ビデ洗浄用の洗浄位置）まで移動すると、ガイドリブ１５４がガイド溝１３１ｃの後端と当接する。これにより、ノズル１３０は、ケース１５０に対して抜け止めされる。
【００４７】
また、ケース１５０の先端部の上面側にはノズル洗浄器１６０が取り付けられている。ノズル洗浄器１６０は、図１６および図１７に示すように、下方に向けて洗浄水を噴出する噴出孔１６１が形成されており、噴出孔１６１から洗浄水を噴出することで、ノズル１３０のノズル孔１３１ａ付近やノズル孔１３１ｂ付近を含む外周面を洗浄することができる。上述したように、ガイドリブ１５４や排水孔１５５は、ケース１５０の下面側に設けられているから、ケース１５０の上面側の空きスペースにノズル洗浄器１６０を配置することができ、ノズルユニット１２０をコンパクトにすることができる。
【００４８】
実施形態の主要な要素と課題を解決するための手段の欄に記載した発明の主要な要素との対応関係について説明する。実施形態では、シリンダ４０が「回転体」に相当し、回転ギヤ４５が「回転ギヤ」に相当し、螺旋溝４４ａが「螺旋溝」に相当し、モータ２４が「モータ」に相当し、ケース５０が「ケース」に相当し、ノズル３０が「ノズル」に相当し、リブ３５や突起３５Ｂが「嵌合部」に相当し、排水溝４４ｂが「排水溝」に相当する。また、貫通孔４８が「貫通孔」に相当する。また、排水孔５５が「排水部」に相当する。ガイド溝１３１ｃが「ガイド溝」に相当し、ガイドリブ１５４が「突起」に相当する。
【００４９】
なお、実施形態の主要な要素と課題を解決するための手段の欄に記載した発明の主要な要素との対応関係は、実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施形態は課題を解決するための手段の欄に記載した発明の具体的な一例に過ぎないものである。
【００５０】
以上、本発明を実施するための形態について実施形態を用いて説明したが、本発明はこうした実施形態に何等限定されるものではなく、本発明の要旨を逸脱しない範囲内において、種々なる形態で実施し得ることは勿論である。
【産業上の利用可能性】
【００５１】
本発明は、局部洗浄装置の製造産業などに利用可能である。
【符号の説明】
【００５２】
１  便器、１０  衛生洗浄便座装置、１２  便座装置本体、１３  着座センサ、１４  便座、１６  便蓋、１８  操作パネル、２０  ノズルユニット、２１，２２，３２１  ホース、２４  モータ、２５  駆動ギヤ、３０，３０Ｂ，１３０  ノズル、３１  ノズル本体、３１ａ，３１ｂ，１３１ａ，１３１ｂ  ノズル孔、３８ａ，３８ｂ  洗浄水流路、４０  シリンダ、４１，４２  半円筒部材、４３  外周リブ、４４  内周リブ、４４ａ  螺旋溝、４４ｂ  排水溝、４５  回転ギヤ、４８  貫通孔、５０  ケース、５１，５２  半円筒部材、５２ａ  固定板、５３  内周溝、５５，１５５  排水孔、６０，１６０  ノズル洗浄器、１３１ｃ  ガイド溝、１３２ａ，１３２ｂ  連通孔、１３２ｃ  スリット、１５０ａ  支持面、１５４  ガイドリブ、１６１  噴出孔。
【図１】
2019148083.tif 000003
【図２】
2019148083.tif 000004
【図３】
2019148083.tif 000005
【図４】
2019148083.tif 000006
【図５】
2019148083.tif 000007
【図６】
2019148083.tif 000008
【図７】
2019148083.tif 000009
【図８】
2019148083.tif 000010
【図９】
2019148083.tif 000011
【図１０】
2019148083.tif 000012
【図１１】
2019148083.tif 000013
【図１２】
2019148083.tif 000014
【図１３】
2019148083.tif 000015
【図１４】
2019148083.tif 000016
【図１５】
2019148083.tif 000017
【図１６】
2019148083.tif 000018
【図１７】
2019148083.tif 000019